(57)【要約】【課題】オペレータが的確なプラント機器の監視、制御を迅速に実施することができるプラント監視制御装置を提供する。【解決手段】接近判定部１ｄによりプラント機器で得られる計測信号の現在値が当該計測信号に関する制限値に接近していると判定された場合には、表示データ管理部１ｃで編集された計測信号の経時変化を示すトレンドグラフを表示する際に、計測信号に関する制限値をガイドラインとして同時に表示することで、オペレータが制限値への接近度合を考慮した的確なプラント機器の監視制御を実現する。【選択図】図２
2019175274.tif 000002
【特許請求の範囲】
【請求項１】
プラント機器の運転状態の監視および制御を行うプラント監視制御装置であって、
表示装置への画面表示制御を行う表示制御部と、上記プラント機器から得られる計測信号を蓄積するデータ蓄積部と、上記データ蓄積部に蓄積された上記計測信号の過去から現在までの経時変化をトレンドグラフとして編集する表示データ管理部と、上記計測信号が、当該計測信号に関して予め設定された一定の制限値に接近しているかどうかを一定の条件の下で判定する接近判定部とを備え、
上記表示制御部は、上記接近判定部により上記計測信号の現在値が当該計測信号に関する上記制限値に接近していると判定された場合には、上記表示データ管理部で編集された上記トレンドグラフを表示する際に、上記計測信号に関する上記制限値の少なくとも一つをガイドラインとして同時に表示する、プラント監視制御装置。
【請求項２】
上記接近判定部は、上記計測信号の現在値の上記制限値への接近度合を段階的に判定するものであり、上記表示制御部は、上記接近判定部による上記接近度合の判定に応じて上記トレンドグラフおよび上記ガイドラインを段階的に強調表示する、請求項１に記載のプラント監視制御装置。
【請求項３】
上記接近判定部により上記計測信号の現在値が上記制限値に接近していると判定された場合には、当該計測信号に関連する関連データを演算する関連データ演算部を備え、上記表示制御部は、上記トレンドグラフおよび上記ガイドラインを表示する際に、上記関連データ演算部で演算された上記関連データを同時に表示する、請求項１または請求項２に記載のプラント監視制御装置。
【請求項４】
上記データ蓄積部に蓄積された一定期間内の上記計測信号に基づいて定期的に上記制限値を演算する制限値演算部を備え、上記接近判定部は、上記制限値演算部で演算して得られた上記制限値を用いて上記計測信号の上記制限値への接近を判定する、請求項１から請求項３のいずれか１項に記載のプラント監視制御装置。
【請求項５】
上記接近判定部による判定条件、および上記表示制御部による上記ガイドラインの表示条件を上記計測信号について個別に設定する設定入力部と、上記設定入力部で設定された設定条件を管理する設定管理部とを備え、
上記接近判定部および上記表示制御部は、上記設定管理部に登録された上記設定条件に基づいて上記ガイドラインの表示の有無を実行する、請求項１から請求項４のいずれか１項に記載のプラント監視制御装置。
【発明の詳細な説明】
【技術分野】
【０００１】
本願は、オペレータに対して迅速で的確なプラント機器の監視、制御の実行を支援するプラント監視制御装置に関するものである。
【背景技術】
【０００２】
従来のプラント監視制御装置においては、プラント機器を監視、制御するために、プラント機器に設けられた各種のセンサから得られる計測信号について、過去から現在までの経時変化をトレンドグラフとして画面表示する一方、プラント機器の運転制御に支障を来すと推測される値（上限値あるいは下限値）を予め制限値として設定しておき、計測信号の現在値が制限値へ接近するのに応じて、トレンドグラフをフリッカ表示するなど強調表示してオペレータに警告することで、プラント機器の監視、制御を容易に行えるようにしたものが提案されている（例えば、下記の特許文献１参照）。
【先行技術文献】
【特許文献】
【０００３】
【特許文献１】特開２０００−２０１２４号公報
【発明の概要】
【発明が解決しようとする課題】
【０００４】
このように、従来のプラント監視制御装置においては、計測信号の現在値が制限値へ接近するのに応じて、計測信号に関するトレンドグラフを強調表示してオペレータに警告するようにしているものの、強調表示されたトレンドグラフと共に制限値を同時に画面表示するような構成にはなっていなかった。
【０００５】
そのため、オペレータは、トレンドグラフが強調表示されたことを確認した後にプラント機器の運転制御を行おうとしても、計測信号の現在値が制限値にどの程度まで接近しているかを十分に把握できず、現在値の制限値への接近度合を考慮してプラント機器の運転制御を適切に実施することができなかった。
【０００６】
例えば、計測信号のトレンドグラフが急峻に変化しているためにプラント機器の制御に迅速な対応が求められるような状況下において、強調表示されたトレンドグラフを確認した場合でも、計測信号の現在値が制限値にどの程度まで接近しているかを十分に把握できないため、通常の対応を実施すると、計測信号の現在値が制限値を逸脱してしまうという不具合を生じることがあった。また、計測信号の制限値に関する情報を把握するためには別画面にて制限値の情報を収集しなければならず、迅速な対応が求められる場合でも対応に余分な時間を要し、要求に十分応えられないという問題があった。
【０００７】
本願は、上記のような課題を解決するための技術を開示するものであり、オペレータが計測信号の現在値の制限値への接近度合を考慮して常に的確なプラント機器の運転制御を迅速に実施することができるプラント監視制御装置を提供することを目的としている。
【課題を解決するための手段】
【０００８】
本願に開示されるプラント監視制御装置は、プラント機器の運転状態の監視および制御を行うプラント監視制御装置であって、
表示装置への画面表示制御を行う表示制御部と、上記プラント機器から得られる計測信号を蓄積するデータ蓄積部と、上記データ蓄積部に蓄積された上記計測信号の過去から現在までの経時変化をトレンドグラフとして編集する表示データ管理部と、上記計測信号が、当該計測信号に関して予め設定された一定の制限値に接近しているかどうかを一定の条件の下で判定する接近判定部とを備え、
上記表示制御部は、上記接近判定部により上記計測信号の現在値が当該計測信号に関する上記制限値に接近していると判定された場合には、上記表示データ管理部で編集された上記トレンドグラフを表示する際に、上記計測信号に関する上記制限値の少なくとも一つをガイドラインとして同時に表示するものである。
【発明の効果】
【０００９】
本願に開示されるプラント監視制御装置によれば、プラントの監視制御用の計測信号の現在値が予め設定された制限値に接近した場合、計測信号の現在値が制限値を逸脱する前に予めそのトレンドグラフと共に制限値をガイドラインとして同時に画面表示するので、オペレータに対して計測信号の現在値が制限値を逸脱する恐れがあることを事前に警告することができる。これにより、計測信号の現在値の制限値への接近度合を考慮して的確なプラント機器の監視、制御を迅速に実施することが可能となる。
【図面の簡単な説明】
【００１０】
【図１】実施の形態１によるプラント監視制御装置を含むプラント監視制御システム全体の構成図である。
【図２】実施の形態１によるプラント監視制御装置の詳細を示す構成図である。
【図３】実施の形態１によるプラント監視制御装置のトレンドグラフとガイドラインの表示処理の手順を示すフローチャートである。
【図４】実施の形態１によるプラント監視制御装置のトレンドグラフとガイドラインの表示処理の説明図である。
【図５】実施の形態１によるプラント監視制御装置のトレンドグラフとガイドラインの表示画面の一例を示すイメージ図である。
【図６】実施の形態２によるプラント監視制御装置のトレンドグラフとガイドラインの表示処理の手順を示すフローチャートである。
【図７】実施の形態２によるプラント監視制御装置のトレンドグラフとガイドラインの表示処理の説明図である。
【図８】実施の形態２によるプラント監視制御装置のトレンドグラフとガイドラインの表示画面の一例を示すイメージ図である。
【図９】実施の形態３によるプラント監視制御装置の構成図である。
【図１０】実施の形態３によるプラント監視制御装置のトレンドグラフ、ガイドライン、および関連データの表示処理の手順を示すフローチャートである。
【図１１】実施の形態３によるプラント監視制御装置のトレンドグラフ、ガイドライン、および関連データの表示画面の一例を示すイメージ図である。
【図１２】実施の形態４によるプラント監視制御装置の構成図である。
【図１３】実施の形態４によるプラント監視制御装置のトレンドグラフとガイドラインの表示処理の手順を示すフローチャートである。
【図１４】実施の形態５によるプラント監視制御装置の構成図である。
【図１５】実施の形態５によるプラント監視制御装置のトレンドグラフとガイドラインの表示処理の手順の一部を示すフローチャートである。
【発明を実施するための形態】
【００１１】
実施の形態１．
図１は本願の実施の形態１のプラント監視制御装置を含むプラント監視制御システム全体の構成図である。
【００１２】
本システムは、プラント機器４の運転状態を監視、制御するプラント監視制御装置１、プラント機器４に設けられた図示しない各種のセンサから得られる計測信号を収集してプラント監視制御装置１に送信するとともに、プラント監視制御装置１からの制御指令に基づいてプラント機器４を制御するプラント情報処理装置２、およびプラント監視制御装置１とプラント情報処理装置２の双方向で情報、制御指令の伝達を実現するプラント制御バス３とを備えて構成されている。
【００１３】
図２は、本願の実施の形態１におけるプラント監視制御装置の詳細を示す構成図である。
【００１４】
この実施の形態１のプラント監視制御装置１は、ディスプレイなどの表示装置２００への画面表示制御を行う表示制御部１ａ、プラント情報処理装置２から収集した各種の計測信号を所定の期間分蓄積するデータ蓄積部１ｂ、データ蓄積部１ｂに蓄積された計測信号の過去から現在までの経時変化をトレンドグラフとして画面表示したり、予め設定された制限値をガイドラインとして画面表示したりするためのデータを編集、保持する表示データ管理部１ｃ、および計測信号の現在値が制限値に接近しているかどうかを所定の条件の下で判定する接近判定部１ｄを備える。また、プラント監視制御装置１のハードウエア構成としては、中央演算処理装置１００と記憶装置１０１から構成され、中央演算処理装置１００は表示制御部１ａ、表示データ管理部１ｃおよび接近判定部１ｄの機能を実行し、記憶装置１０１はハードディスクなどにより構成されてデータ蓄積部１ｂを有している。
【００１５】
図３は、この実施の形態１におけるトレンドグラフとガイドラインの表示処理の手順を示すフローチャートである。
【００１６】
表示データ管理部１ｃは、データ蓄積部１ｂが蓄積している各種の計測信号の内から、トレンドグラフの表示対象となる全ての計測信号を抽出して取得する（ステップＳ１）。ここでは、トレンドグラフの表示対象となる計測信号が全部でｋ種類（ｉ＝１〜ｋ）存在するものとする。
【００１７】
接近判定部１ｄは、表示データ管理部１ｃの保持するトレンドグラフの表示対象となる計測信号の内から、一つの計測信号（最初はｉ＝１）について、当該信号の現在値Ｄｉが制限値Ｌｉに接近しているかどうかを判定する（ステップＳ２）。なお、上記の制限値Ｌｉは、計測信号の種類（例えば水処理プラントの場合には水量、水圧などの計測信号の種類）に応じてそれぞれ適切な値になるように予め設定されている。
【００１８】
すなわち、ステップＳ２において、図４Ａに示すように、一つの計測信号の現在値Ｄｉと制限値Ｌｉとの差分をΔＤｉ（＝｜Ｄｉ−Ｌｉ｜）とした場合、制限値Ｌｉを基準として予め設定した所定の判定幅Ｍｉとの大小を比較し、ΔＤｉ≦Ｍｉならば当該信号の現在値Ｄｉが制限値Ｌｉに接近している判定する。これに対して、ΔＤｉ＞Ｍｉならば当該信号の現在値Ｄｉは制限値Ｌｉに接近していないと判定する。なお、上記の判定幅Ｍｉは、制限値Ｌｉの場合と同様、計測信号の種類に応じてそれぞれ適切な値に設定される。
【００１９】
そして、接近判定部１ｄによって計測信号の現在値Ｄｉが制限値Ｌｉに接近していると判定された場合には、表示データ管理部１ｃは、ガイドラインの表示／非表示用のフラグＦｉ（これは後述のように表示色識別用のフラグを兼用している）をＯＮ（Ｆｉ＝１）にし、そのフラグＦｉ（＝１）を保持する（ステップＳ３）。
【００２０】
これに対して、ステップＳ２において接近判定部１ｄによって計測信号の現在値Ｄｉが制限値Ｌｉに接近していないと判定された場合には、表示データ管理部１ｃはガイドラインの表示／非表示用のフラグＦｉをＯＦＦ（Ｆｉ＝０）にし、そのフラグＦｉ（＝０）を保持する（ステップＳ４）。
【００２１】
次に、表示制御部１ａは、表示データ管理部１ｃからトレンドグラフの表示対象となる当該計測信号およびガイドラインの表示／非表示用のフラグＦｉを取得する。そして、フラグＦｉがＯＮ（Ｆｉ＝１）の場合は、表示画面５上に計測信号の経時変化を示すトレンドグラフと共に制限値Ｌｉをガイドラインとして表示する（ステップＳ５）。また、フラグＦｉがＯＦＦ（Ｆｉ＝０）の場合は、ガイドラインは非表示とし、トレンドグラフのみを表示する（ステップＳ６）。
【００２２】
次に、トレンドグラフの表示対象となる全ての計測信号について上記ステップＳ２〜Ｓ６の処理が完了したかどうかを判定する（ステップＳ７）。トレンドグラフの表示対象となる全ての計測信号（ｉ＝１〜ｋ）について上記処理が未だ完了していなければ、カウント値ｉを一つ増やした後（ステップＳ８）、フラグＦｉをＯＦＦ（Ｆｉ＝０）にした上で（ステップＳ９）、ステップＳ２に戻り、表示データ管理部１ｃの保持するトレンドグラフの表示対象となる次の一つの計測信号（ｉ＝２）について、上記と同じ処理を実行する。
このようにしてトレンドグラフの表示対象となる全ての計測信号の処理が完了すると（ｉ≧ｋでＹＥＳ）、表示制御部１ａは表示処理を終了する。
【００２３】
なお、図４Ｂに示すように、ガイドラインの表示／非表示用のフラグＦｉ（ｉ＝１〜ｋ）は、表示色識別用のフラグも兼用しており、このフラグＦｉ（ｉ＝１〜ｋ）に応じて、トレンドグラフ（実線）とガイドライン（破線）の色が変更される。このため、表示画面５上にトレンドグラフとガイドラインが同時に複数存在する場合でも、互いを識別することができる。
【００２４】
例えば、図５に示すように、トレンドグラフの表示対象となる計測信号は全部で３種類（ｉ＝１〜３）存在するとして、表示画面５には、Ｆ１＝１の場合、トレンドグラフ（実線）５ａは赤色、ガイドライン（破線）５ｂも赤色で表示される。また、Ｆ２＝１の場合、トレンドグラフ（実線）５ｃは青色、ガイドライン（破線）５ｄも青色で表示される。また、Ｆ３＝０の場合、ガイドラインは表示されないが、トレンドグラフ（実線）５ｅは緑色で表示される。
【００２５】
このように、表示画面５には、計測信号のトレンドグラフ（実線）５ａ、５ｃ、５ｅが色別で表示され、さらに計測信号の現在値が制限値に接近している場合（ΔＤｉ≦Ｍｉ）には、この制限値を示すガイドライン（破線）５ｂ、５ｄも同時に色別で表示される。
【００２６】
なお、ここでは、画面上にトレンドグラフおよびガイドラインが同時に複数存在する場合でも互いを識別できるように、色別で表示するようにしているが、これに限らず、例えばフリッカの点滅周期を互いに異ならせたり、実線、一点鎖線、二点鎖線、破線などのように線種を異ならせることも可能である。
【００２７】
以上のように、この実施の形態１によれば、計測信号の現在値が制限値へ接近すると、計測信号の経時変化を示すトレンドグラフに加えて制限値を示すガイドラインを同時に表示してオペレータに警告し、しかも表示画面上に複数のトレンドグラフおよびガイドラインが同時に存在する場合でも、これらを互いに識別できるようにしているので、オペレータは、制限値への接近度合を考慮した的確なプラント機器の監視、制御が可能となる。
【００２８】
実施の形態２．
本願の実施の形態２を図６、図７、図８に基づいて説明する。
上記の実施の形態１では、計測信号の現在値が制限値へ接近すると、トレンドグラフに加えて制限値を示すガイドラインを同時に表示するようにしたが、画面上に複数のトレンドグラフおよびガイドラインを表示する場合には、注目すべきグラフが目立たず、オペレータの確認が遅れる場合が考えられる。
【００２９】
そこで、この実施の形態２では、接近判定部１ｄの判定条件を段階的な条件とし、かつ、表示データ管理部１ｃに強調表示のフラグと接近度合の情報を備えることで、計測信号の現在値の制限値に対する接近度合に応じて段階的にグラフを強調して表示するようにしている。
なお、この実施の形態２において、プラント監視制御装置を含むプラント監視制御システム全体の構成図（図１）、プラント監視制御装置の詳細を示す構成図（図２）は実施の形態１で説明したものと同様であるので、その説明は省略する。
【００３０】
図６は、この実施の形態２におけるトレンドグラフとガイドラインの表示処理の手順を示すフローチャートである。
【００３１】
表示データ管理部１ｃは、データ蓄積部１ｂが蓄積している各種の計測信号の内から、トレンドグラフの表示対象となる全ての計測信号を抽出して取得する（ステップＳ１１）。ここでは、トレンドグラフとして画面表示の対象となる計測信号が全部でｋ種類（ｉ＝１〜ｋ）存在するものとする。
【００３２】
接近判定部１ｄは、表示データ管理部１ｃの保持するトレンドグラフの表示対象となる計測信号の内から一つの計測信号（最初はｉ＝１）について、当該信号の現在値Ｄｉの制限値Ｌｉへの接近度合を判定する（ステップＳ１２、Ｓ１３）。この場合の制限値Ｌｉへの接近度合は、判定条件を段階的な条件とすることで判定可能とする。
【００３３】
すなわち、図７Ａに示すように、一つの計測信号の現在値Ｄｉと制限値Ｌｉとの差分をΔＤｉ（＝｜Ｄｉ−Ｌｉ｜）とした場合、制限値Ｌｉを基準として予め設定した所定の判定幅Ｍａｉ、Ｍｂｉ（ただし、Ｍａｉ＜Ｍｂｉ）との大小を比較する。
【００３４】
この場合、ΔＤｉ≦Ｍａｉならば当該信号の現在値Ｄｉの制限値Ｌｉに対する接近度合が大きいと判定する（図６のステップＳ１２でＹＥＳ）。また、Ｍａｉ＜ΔＤｉ≦Ｍｂｉならば、当該信号の現在値Ｄｉの制限値Ｌｉに対する接近度合は比較的小さいと判定する（図６のステップＳ１２でＮＯだがステップＳ１３でＹＥＳ）。さらに、Ｄｉ＞Ｍｂｉならば当該信号の現在値Ｄｉは制限値Ｌｉに未だ接近しておらず制限値Ｌｉから十分に離れていると判定する（図６のステップＳ１３でＮＯ）。
なお、上記の判定幅Ｍａｉ、Ｍｂｉは、制限値Ｌｉの場合と同様、計測信号の種類に応じてそれぞれ適切な値に設定されている。
【００３５】
そして、接近判定部１ｄは、計測信号の現在値Ｄｉの制限値Ｌｉに対する接近度合が大きいと判定した場合（ステップＳ１２でＹＥＳの場合）、表示データ管理部１ｃは、制限値Ｌｉをガイドラインとして強調表示するためのフラグＦａｉ（これは後述のように表示色識別用のフラグを兼用している）をＯＮ（Ｆａｉ＝１）にし、そのフラグＦａｉ（＝１）を保持する（ステップＳ１４）。
【００３６】
また、接近判定部１ｄは、計測信号の現在値Ｄｉの制限値Ｌｉに対する接近度合が比較的小さいと判定した場合（ステップＳ１３でＹＥＳの場合）、表示データ管理部１ｃは、制限値Ｌｉをガイドラインとして強調表示するためのフラグＦｂｉ（これは後述のように表示色識別用のフラグを兼用している）をＯＮ（Ｆｂｉ＝１）にし、そのフラグＦｂｉ（＝１）を保持する（ステップＳ１５）。
【００３７】
さらに、計測信号の現在値Ｄｉは制限値Ｌｉに未だ接近しておらず制限値Ｌｉから十分に離れていると判定した場合（ステップＳ１３でＮＯの場合）、表示データ管理部１ｃはガイドライン非表示用のフラグＦｃｉ（このフラグは後述のように表示色識別用のフラグを兼用している）をＯＮ（Ｆｃｉ＝１）にし、そのフラグＦｃｉ（＝１）を保持する（ステップＳ１６）。
【００３８】
次に、表示制御部１ａは、表示データ管理部１ｃから表示対象となる当該計測信号およびガイドライン表示用のいずれかのフラグＦａｉ、Ｆｂｉ、Ｆｃｉを取得する。そして、フラグＦａｉがＯＮ（Ｆａｉ＝１）の場合は、計測信号の現在値Ｄｉの制限値Ｌｉに対する接近度合が大きいので、表示画面５上に計測信号の経時変化を示すトレンドグラフおよび制限値Ｌｉを示すガイドラインを例えば太線で示すなどして強調表示する（ステップＳ１７）。
【００３９】
また、フラグＦｂｉがＯＮ（Ｆｂｉ＝１）の場合は、計測信号の現在値Ｄｉの制限値Ｌｉに対する接近度合が比較的小さいので、表示画面５上に計測信号の経時変化を示すトレンドグラフおよび制限値Ｌｉを示すガイドラインを例えば太線よりも線幅の小さい中太線などで強調表示する（ステップＳ１８）。
【００４０】
また、フラグＦｃｉがＯＮ（Ｆｃｉ＝１）の場合は、計測信号の現在値Ｄｉは制限値Ｌｉに未だ接近しておらず制限値Ｌｉから十分に離れているので、ガイドラインは非表示とし、かつトレンドグラフは強調表示せずに通常の細線などで表示する（ステップＳ１９）。
【００４１】
次に、トレンドグラフの表示対象となる全ての計測信号について上記処理が完了したかどうかを判定する（ステップＳ２０）。トレンドグラフの表示対象となる全ての計測信号（ｉ＝１〜ｋ）について上記処理が未だ完了していなければ、カウント値ｉを一つ増やした後（ステップＳ２１）、全てのフラグＦａｉ、Ｆｂｉ、ＦｃｉをＯＦＦ（Ｆａｉ、Ｆｂｉ、Ｆｃｉ＝０）にした上で（ステップＳ２２）、ステップＳ１２に戻り、表示データ管理部１ｃの保持するトレンドグラフの表示対象となる次の一つの計測信号（ｉ＝２）について、上記と同じ処理を実行する。
このようにして、トレンドグラフの表示対象となる全ての計測信号の処理が完了すると（ステップＳ２０でＹＥＳ）、表示制御部１ａは表示処理を終了する。
【００４２】
なお、図７Ｂに示すように、ガイドラインの強調表示用のフラグＦａｉ、Ｆｂｉ（ｉ＝１〜ｋ）、およびガイドラインの非表示用のフラグＦｃｉは、表示色識別用のフラグを兼用しており、このフラグＦａｉ、Ｆｂｉ、Ｆｃｉ（ｉ＝１〜ｋ）に応じて、トレンドグラフ（実線）とガイドライン（破線）の色が変更される。このため、表示画面５上にトレンドグラフとガイドラインが同時に複数存在する場合でも、互いを識別することができる。
【００４３】
例えば図８に示すように、トレンドグラフとして画面表示の対象となる計測信号は全部で３種類（ｉ＝１〜３）存在するとして、表示画面５には、Ｆａ１＝１の場合、トレンドグラフ（実線）５ａは青色でかつ太線で強調表示されるとともに、ガイドライン（破線）５ｂも青色でかつ太線で強調表示される。また、Ｆｂ２＝１の場合、トレンドグラフ（実線）５ｃは赤色でかつ太線よりも線幅の小さい中太線などで強調表示されるとともに、ガイドライン（破線）５ｄも赤色かつ太線よりも線幅の小さい中太線などで強調表示される。さらに、Ｆｃ３＝０の場合、ガイドラインは表示されないが、トレンドグラフ（実線）５ｅは緑色で、かつ強調表示でない通常の細線などで表示される。
【００４４】
なお、ここでは、画面上にトレンドグラフとガイドラインが同時に複数存在する場合でも互いを識別できるように、トレンドグラフとガイドラインを色別で表示することに加えて、計測信号の現在値の制限値に対する接近度合に応じて段階的にグラフの線幅を変更することで強調表示するようにしているが、強調表示の仕方は、線幅を変えるだけでなく、例えばフリッカの点滅周期を互いに異ならせたり、実線、一点鎖線、二点鎖線、破線などのように線種を異ならせたり、二重線あるいは枠表示などを変更することで対処することが可能である。
【００４５】
以上のように、この実施の形態２によれば、実施の形態１の効果に加えて、計測信号の現在値の制限値に対する接近度合に応じてトレンドグラフおよびガイドラインを強調表示することが可能となるので、オペレータは注目すべきグラフをひと目で確認することができる。このため、より一層迅速なプラント機器の監視、制御が可能となる。
【００４６】
実施の形態３．
本願の実施の形態３を図９、図１０、図１１に基づいて説明する。
上記の実施の形態１、２は、表示画面上にトレンドグラフに加えて制限値を示すガイドラインを同時表示することで、オペレータは、計測信号の現在値が制限値にどの程度まで接近しているかを容易に確認することができる。ところで、例えば計測信号が制限値に到達までの時間などを把握したい場合には、計測信号の現在値または制限値の具体的数値をトレンドグラフのメモリ、あるいはトレンドグラフとは別のデータ表などで確認し、計測信号の制限値到達までの時間を演算する必要がある。
【００４７】
そこで、この実施の形態３では、図９に示すように、プラント機器の監視、制御に有用な関連データをトレンドグラフ上に表示可能とするために、プラント監視制御装置１内に計測信号に関連した関連データを演算する関連データ演算部１ｅを設け、接近判定部１ｄが計測信号の現在値が制限値に接近していると判定した場合、これに応じて、表示データ管理部１ｃは、トレンドグラフに加えてガイドラインの表示処理を行うとともに、関連データ演算部１ｅで得られた関連データも同時に表示するようにしたものである。
【００４８】
すなわち、図１０に示すこの実施の形態３のフローチャートにおいて、トレンドグラフとガイドラインの表示処理は、基本的に実施の形態２の場合（図６に示すフローチャート）と同じであるが、制限値Ｌｉをガイドラインとして強調表示するためのフラグＦａｉ、あるいはＦｂｉがＯＮ（Ｆａｉ＝１、またはＦｂｉ＝１）となり、計測信号の現在値Ｄｉが制限値Ｌｉに接近していると判定された場合には、関連データ演算部１ｅが表示データ管理部１ｃの保持する計測信号に基づいて有用な関連データを演算する（ステップＳ４３、Ｓ４４）。この場合の関連データとしては、例えば計測信号の現在値が制限値に到達するまでの予測時間、あるいは計測信号の現在値の制限値との間の差分（マージン）情報などが挙げられる。
【００４９】
そして、表示制御部１ａは、表示画面５にトレンドグラフ５ａ、５ｃと共にガイドライン５ｂ、５ｄを強調表示する際に、図１１に示すように、関連データ演算部１ｅで得られた関連データ５ｆ、５ｇも同時に表示する（ステップＳ３７、Ｓ３８）。
【００５０】
以上のように、この実施の形態３によれば、実施の形態１、２の効果に加えて、計測信号の現在値の制限値に対する接近度合に応じてトレンドグラフおよびガイドラインを強調表示することに加えて、オペレータはプラント機器の制御に有用な関連データも画面上で同時に確認することができる。このため、さらに一層迅速なプラント機器の監視、制御が可能となる。
【００５１】
実施の形態４．
本願の実施の形態４を図１２、図１３に基づいて説明する。
上記の実施の形態１〜３では、プラント機器の運転制御に支障を来すと推測される制限値Ｌｉは、各計測信号の種類に応じて予め固定された値としているが、計測信号が得られる時期あるいは時間帯等によっては、制限値Ｌｉを柔軟に変更することが望ましい。
【００５２】
そこで、この実施の形態４では、図１２に示すように、プラント監視制御装置１内に制限値演算部１ｈを設け、過去から現在までの計測信号に基づいて適正な制限値Ｌｉを定期的に演算するようにしている。
【００５３】
すなわち、図１３に示すこの実施の形態４のフローチャートにおいて、計測信号の経時変化を示すトレンドグラフと制限値を示すガイドラインの表示処理は、基本的に実施の形態１の場合（図３に示すフローチャート）と同じであるが、この実施の形態４では、表示データ管理部１ｃがトレンドグラフの表示対象となる各種の計測信号の内から、トレンドグラフの表示対象となる全ての計測信号を抽出して取得した後（ステップＳ１）、このトレンドグラフの表示対象となる計測信号の内から、一つの計測信号に関して、制限値演算部１ｈが過去から現在までの計測信号に基づいて適正な制限値Ｌｉを演算する（ステップＳ５０）。
【００５４】
例えば、水処理プラントのような場合には、梅雨時のような特定時期、あるいは、昼夜などの時間帯などを考慮し、一定期間内での平均値を算出するなどして適正な制限値Ｌｉを演算する。
【００５５】
そして、接近判定部１ｄは、制限値演算部１ｈで演算された制限値Ｌｉを用いて、この計測信号の現在値Ｄｉが制限値Ｌｉに接近しているかどうかを判定する（ステップＳ２）、以下の処理は、実施の形態１の場合と同様であるので、詳しい説明は省略する。
【００５６】
なお、この実施の形態４（図１３）では、実施の形態１（図３）の処理を前提として説明したが、実施の形態２（図６）、あるいは実施の形態３（図１０）を前提とした各処理についても、この実施の形態４を同様に適用することができるのは勿論である。
【００５７】
以上のように、この実施の形態４によれば、実施の形態１〜３の効果に加えて、計測信号に対する制限値Ｌｉが過去データを加味して定期的に更新されることで、時期、時間帯等によって適切な制限値Ｌｉを用いてプラント機器を監視および制御することが可能となる。
【００５８】
実施の形態５．
本願の実施の形態５を図１４、図１５に基づいて説明する。
上記の実施の形態２により、計測信号の現在値の制限値に対する接近度合に応じてトレンドグラフおよびガイドラインを強調表示し、また、実施の形態３ではこれに加えてさらに関連データも同時に表示することが可能となるが、計測信号の種類によっては、特に制限値を設ける必要はなく、したがってトレンドグラフに対してガイドラインを表示する必要がない場合がある。また、計測信号の種類によっては、制限値Ｌｉへの接近度合による重要度が異なるため、制限値Ｌｉを基準とした所定の判定幅Ｍａｉ、Ｍｂｉの大きさも計測信号の種類、時期、時間帯などに応じて柔軟に設定し直せるようにすることが好ましい。
【００５９】
そこで、この実施の形態５では、図１４に示すように、プラント監視制御装置１内にオペレータからの設定値の入力を受け付ける設定入力部１ｇ、および設定入力部１ｇに入力された設定内容を保持する設定管理部１ｆを設けて、トレンドグラフおよびガイドラインの表示機能あるいは判定条件をカスタマイズ可能とする。
【００６０】
ここでは、一例として、実施の形態３（図１０）の場合を前提としたフローチャートに基づく処理を基本として説明する。
この実施の形態５では、図１５のフローチャートに示すように、オペレータは予めトレンドグラフの表示対象となる計測信号ごとに設定情報を初期値として設定入力部１ｇに入力し（ステップＳ６１）、この設定情報を設定管理部１ｆに保存する（ステップＳ６２）。
【００６１】
この場合の設定情報としては、トレンドグラフに対してガイドラインを表示するか非表示とするかの情報（例えば、ガイドラインの表示の場合はフラグＧ＝１、非表示の場合はフラグＧ＝０）、計測信号の種類に応じた制限値Ｌｉおよび判定幅Ｍａｉ、Ｍｂｉの設定情報などが含まれる。
【００６２】
次に、表示データ管理部１ｃは、トレンドグラフの表示対象となる全ての計測信号を抽出して取得した後（ステップＳ６３）、設定管理部１ｆの保持する設定情報に基づいて、これら抽出した各々の計測信号について、ガイドラインを表示すべき信号か（フラグＧ＝１）、非表示とする信号か（フラグＧ＝０）を選別し、この情報を保持する（ステップＳ６４）。
【００６３】
表示データ管理部１ｃは、設定管理部１ｆの保持するトレンドグラフの表示対象となる一つの計測信号について、当該信号がガイドラインの表示対象となる信号かどうか（フラグＧが１か０か）を判定し（ステップＳ６５）、ガイドラインの表示対象（Ｇ＝１）となる計測信号であるならば、図１０のステップＳ３２に移行する。これに対して、ガイドラインの非表示対象（Ｇ＝０）となる計測信号であるならば、図１０のステップＳ３６に移行する。
【００６４】
以下の処理は、実施の形態３（図１０）の場合と基本的に同じであるので、詳しい説明は省略するが、実施の形態３の場合と異なる点は、接近判定部１ｄの判定条件（制限値Ｌｉおよび判定幅Ｍａｉ、Ｍｂｉの大きさ）は、設定管理部１ｆで管理されている設定情報に基づいて決定される。
【００６５】
なお、この実施の形態５では、実施の形態３（図１０）の処理を前提として説明したが、実施の形態１（図３）、実施の形態２（図６）、あるいは実施の形態４（図１３）を前提とした各処理についても、この実施の形態５を同様に適用することができるのは勿論である。
【００６６】
以上のように、この実施の形態５によれば、実施の形態１〜４の効果に加えて、計測信号の種類によって各機能の有無あるいは接近判定の条件をカスタマイズすることが可能となり、オペレータにとって不要な表示を制限することができるので、利便性が高まる。
【００６７】
本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００６８】
１  プラント監視制御装置、１ａ  表示制御部、１ｂ  データ蓄積部、
１ｃ  表示データ管理部、１ｄ  接近判定部、１ｅ  関連データ演算部、
１ｆ  設定管理部、１ｇ  設定入力部、１ｈ  制限値演算部、
２  プラント情報処理装置、３  プラント制御バス、４  プラント機器、
１００  中央演算処理装置、１０１  記憶装置、２００  表示装置。
【図１】
2019175274.tif 000003
【図２】
2019175274.tif 000004
【図３】
2019175274.tif 000005
【図４】
2019175274.tif 000006
【図５】
2019175274.tif 000007
【図６】
2019175274.tif 000008
【図７】
2019175274.tif 000009
【図８】
2019175274.tif 000010
【図９】
2019175274.tif 000011
【図１０】
2019175274.tif 000012
【図１１】
2019175274.tif 000013
【図１２】
2019175274.tif 000014
【図１３】
2019175274.tif 000015
【図１４】
2019175274.tif 000016
【図１５】
2019175274.tif 000017